(57)【要約】  薬剤キャリヤ（２）と共に使用する計量分配装置（１）。薬剤キャリヤ（２）は、そこから取り出されうる少なくとも１つの薬剤製品（８）を含む。計量分配装置（１）は、本体（１２）と、回収管路（１８）と、計量分配開口（１６）とを備える。本体（１２）は、薬剤キャリヤ（２）を保持するための保持部（１４）を含む。保持部（１４）は、その上に保持された薬剤キャリヤ（２）から取り出された薬剤（８）を受けるように配置された少なくとも１つの入口開口（３２）を含む。回収管路（１８）は、少なくとも１つの入口開口（３２）と少なくとも１つの計量分配開口（１６）とを接続する。計量分配装置（１）は、その上の薬剤キャリヤ（２）から計量分配された薬剤（８）が、入口開口（３２）を通り、薬剤がその管路から計量分配開口（１６）を通って計量分配されうる回収管路内（１８）に進むように構成される。【選択図】  図６
2012502860.tif 000002
【特許請求の範囲】
【請求項１】
薬剤キャリヤと共に使用するための計量分配装置であって、前記薬剤キャリヤが、そこから取り出されうる少なくとも１つの薬剤製品を含み、前記計量分配装置が、本体を含む第１の部材と、計量分配開口を備える少なくとも１つの第２の部材とを備え、前記本体が薬剤キャリヤを保持するための保持部を含み、前記保持部が、その上に保持された薬剤キャリヤから取り出された薬剤を受けるように配置された少なくとも１つの入口開口を含み、前記計量分配装置が、前記少なくとも１つの入口開口と前記少なくとも１つの計量分配開口とを接続する回収管路を含み、前記計量分配装置が、その上の薬剤キャリヤから計量分配された薬剤が、前記入口開口を通り、薬剤がその管路から前記計量分配開口を通って計量分配されうる前記回収管路内に進むように構成され、前記第１の部材および前記少なくとも１つの第２の部材が、互いに滑動可能に結合され、前記薬剤キャリヤおよび前記計量分配開口のうちの少なくとも一方の少なくとも一部へのアクセスがほぼ妨げられうるか、もしくは前記薬剤キャリヤからの薬剤の取り出しがほぼ妨げられうる閉じられた相対配置と、前記薬剤キャリヤおよび前記計量分配開口のうちの少なくとも一方のへのアクセスもしくは前記キャリヤからの薬剤の取り出しが実質的にあまり妨げられない、計量分配するすなわち開かれた相対配置との間を移動可能である、計量分配装置。
【請求項２】
前記保持部が複数の入口開口を含む、請求項１に記載の計量分配装置。
【請求項３】
前記保持部内の少なくとも１つの入口開口が、前記閉じられた相対配置のとき、前記少なくとも１つの第２の部材によってほぼ遮断される、請求項１または２に記載の計量分配装置。
【請求項４】
前記入口開口と前記計量分配開口との間の前記回収管路を通る通路が、前記閉じられた相対配置のとき、ほぼ遮断される、請求項１または２に記載の計量分配装置。
【請求項５】
前記第１の部材および前記少なくとも１つの第２の部材が、前記計量分配装置を前記計量分配位置に移動させるために解除されなければならない少なくとも１つの留め具を使用して、前記閉じられた位置に共に解除可能に固定される、請求項１から４のいずれか１項に記載の計量分配装置。
【請求項６】
前記またはそれぞれの留め具が、それぞれの留め具に対応づけられたボタンを使用して解除可能である、請求項４に記載の計量分配装置。
【請求項７】
計量分配装置と少なくとも１つの薬剤キャリヤとを備える薬剤キットであって、前記薬剤キャリヤが、少なくとも１つの薬剤と、請求項１から６までのいずれか１項に記載の前記計量分配装置とを含む、薬剤キット。
【請求項８】
前記少なくとも１つの薬剤キャリヤがブリスタ包装である、請求項７に記載の薬剤キット。
【請求項９】
前記ブリスタ包装が複数のブリスタを備え、各ブリスタが薬剤を含む、請求項８に記載の薬剤キット。
【請求項１０】
計量分配装置の保持部に取り付けられた薬剤キャリヤから薬剤を計量分配する方法であって、前記計量分配装置が、本体を含む第１の部材と、計量分配開口を備える少なくとも１つの第２の部材とを備え、前記本体が薬剤キャリヤを保持するための前記保持部を含み、前記保持部が、そこに保持された薬剤キャリヤから取り出された薬剤を受けるように配置された少なくとも１つの入口開口を含み、前記計量分配装置が、前記少なくとも１つの入口開口と前記少なくとも１つの計量分配開口とを接続する回収管路を含み、
ａ．前記薬剤キャリヤの少なくとも一部がユーザにアクセス可能であるように、前記計量分配装置を開かれた相対配置に配置するステップと、
ｂ．前記薬剤キャリヤから薬剤を取り出し、前記薬剤が前記保持部内の入口開口を通過するように、前記薬剤キャリヤの一部に力を加えるステップと、
ｃ．前記入口開口を通過した前記薬剤を捕らえて保有するために、前記回収管路を使用するステップと、
ｄ．前記回収管路が遮断されないように、前記計量分配装置を前記閉じられた相対配置に配置するステップと、
ｅ．前記回収管路からの前記薬剤が、前記計量分配開口から計量分配されるように、前記計量分配装置を操作するステップとを含む、方法。
【発明の詳細な説明】
【技術分野】
【０００１】
本願は、薬剤を薬剤キャリヤ（carrier）から計量分配するための計量分配装置に関し、特に、ブリスタ包装（blister pack）タイプの薬剤キャリヤと共に使用する計量分配装置に関する。
【背景技術】
【０００２】
薬剤は、それが使用／服用されうる前に、ユーザが、そこから薬剤を取り外すかまたは取り出す必要がある多くのタイプの包装の中で供給されうる。
【０００３】
一般的な薬剤キャリヤは、典型的には、一方の面上に隆起し、他方の面上にくぼみをもたらし、その中に薬剤が設置されうる複数のブリスタを含むように形成された形成層（formed layer）を備えるブリスタ包装である。したがって、ブリスタは、膜、典型的には箔で密封されるが、他の材料が使用されてよい。薬剤にアクセスするための１つの方法は、薬剤が、膜を破ってキャリヤの外に押し出されるように、ユーザが、隆起したブリスタに力を加えることである。
【０００４】
そのようなキャリヤから薬剤を取り出すことは、あまり器用でないユーザにとって難しい可能性があり、薬剤は、必ずしも確実に所望の場所、例えばユーザの手の中に計量分配されるわけではない。
【発明の概要】
【発明が解決しようとする課題】
【０００５】
本発明は、薬剤キャリヤと共に使用するための計量分配装置であって、薬剤キャリヤが、そこから取り出されうる少なくとも１つの薬剤製品を含み、計量分配装置が、本体（body）を含む第１の部材と、計量分配開口（dispensing aperture）を備える少なくとも１つの第２の部材とを備え、本体が薬剤キャリヤを保持するための保持部（holding portion）を含み、保持部が、その上に保持された薬剤キャリヤから取り出された薬剤を受けるように配置された少なくとも１つの入口開口（inlet aperture）を含み、計量分配装置が、少なくとも１つの入口開口と少なくとも１つの計量分配開口とを接続する回収管路（collecting conduit）を含み、計量分配装置が、その上の薬剤キャリヤから計量分配された薬剤が、入口開口を通り、薬剤が計量分配開口を通って計量分配されうる回収管路内に進むように構成され、第１の部材および少なくとも１つの第２の部材が、互いに滑動可能に結合され、薬剤キャリヤおよび計量分配開口のうちの少なくとも一方の少なくとも一部へのアクセスがほぼ妨げられうるか、もしくは薬剤キャリヤからの薬剤の取り出しがほぼ妨げられうる閉じられた相対配置（closed configuration）と、薬剤キャリヤおよび計量分配開口のうちの少なくとも一方へのアクセスもしくはキャリヤからの薬剤の取り出しが実質的にあまり妨げられない、計量分配するすなわち開かれた相対配置（open configuration）との間を移動可能である、計量分配装置を提供する。
【課題を解決するための手段】
【０００６】
回収管路を含む計量分配装置を提供することで、ユーザが、薬剤を計量分配装置内に取り出し、次いで、要望時に薬剤を計量分配開口から計量分配することが可能になる。このことは、特に、２つ以上の薬剤が一度に計量分配されるべき場合、両者が回収管路内に回収され、要望時に計量分配開口から計量分配されうるので、薬剤を計量分配する、より便利な方法を提供する。
【０００７】
薬剤キャリヤは、錠剤、カプセル、アンプルまたは他の適切な薬剤の形態など、多くの形態の薬剤を含むことができる。薬剤は、ユーザを治療するのに適した活性化合物を含んでよく、または治療実験のための偽薬のような薬剤に似るように形成されてよい。
【０００８】
薬剤キャリヤは、単一の薬剤を含んでよく、または複数の薬剤を含むように適合されてよい。複数の薬剤が企図される場合は、薬剤キャリヤは、複数のほぼ同一の薬剤を含んでよく、または異なるタイプおよび／または形態の薬剤を含んでよい。
【０００９】
一実施形態では、キャリヤは、単一のタイプの薬剤を複数含んでよい。計量分配装置は、異なるキャリヤ、もしくは異なる薬剤を含むキャリヤをそれぞれ保持することができる２つ以上の保持部を含むように適合されてよく、または１つまたは複数の保持部が、ほぼ同一のキャリヤ、もしくはほぼ同一の薬剤を含むキャリヤを含んでよい。
【００１０】
計量分配装置は、種々の薬剤キャリヤと共に使用することを想定されるが、計量分配装置は、特に、ブリスタ包装タイプの薬剤キャリヤと共に使用することを企図される。
【００１１】
ブリスタ包装タイプのキャリヤは、プラスチック材料および／または防湿（moisture barrier）材料からなる可能性がある形成層を備える。形成層は、形成層の一方の面上に隆起し、対向する面上にくぼみをもたらす、少なくとも１つのブリスタを含むように形成される。くぼみは、１つまたは複数の薬剤が、その中に設置されうる場所を提供する。それゆえ、ブリスタは、破ることができる膜で密封される。破ることができる膜は、箔、箔とプラスチックとの積層物または他の材料、例えば紙膜であってよい。薬剤にアクセスするために、ユーザは、力によって変形して内容物に接触し、破ることができる膜に内容物を押しつける隆起したブリスタに、直接的にまたは例えば機械的もしくは電気的な機構を使用して間接的に力を加える。十分な力が加えられると、膜が破れ、内容物が薬剤キャリヤから取り出される。
【００１２】
薬剤キャリヤ、例えばブリスタ包装は、薬剤が取り出されうる複数の場所、例えばブリスタを含むことができる。複数の場所は、一直線、複数の直線、所定の型、または他の配列に配置されてよい。
【００１３】
複数のそのような場所が含まれる一実施形態では、保持部は、複数の入口開口を含むことができる。各入口開口が、対応する型の中の単一の取り出し場所と対応するように配置されてよく、または単一の入口開口が、複数の取り出し場所と対応するように配置されてよい。
【００１４】
閉じられた相対配置では、薬剤キャリヤおよび計量分配開口のうちの少なくとも一方の少なくとも一部へのアクセスがほぼ妨げられるか、または薬剤キャリヤからの薬剤の取り出しがほぼ妨げられる。開かれた相対配置では、薬剤キャリヤおよび計量分配開口のうちの少なくとも一方へのアクセス、またはキャリヤからの薬剤の取り出しが、実質的にあまり妨げられない。このことが、計量分配されるべき薬剤へのアクセスが実質的に妨げられなくなる前に、計量分配装置は、開かれた相対配置に移動されなければならないので、チャイルドレジスタント機構（child resistant feature）を提供することができる。
【００１５】
そのような一実施形態では、第２の部材は、第１の部材の部分へのアクセスをほぼ妨げることによって、第１の部材のための蓋として働くことができる。
【００１６】
第１および第２の部材は、少なくとも開かれた相対配置において、または閉じられた相対配置において、協働して回収管路を形成する。
【００１７】
閉じられた相対配置にあるとき、第２の部材が、薬剤が回収管路内に取り出されることをほぼ妨げるので、保持部内の少なくとも１つの入口開口は、第２の部材によってほぼ遮断されうる。
【００１８】
第１の部材および少なくとも１つの第２の部材は、計量分配装置が開かれた相対配置に移動されうる前に解除されなければならない、少なくとも１つの解除可能な留め具（catch）によって、閉じられた相対配置において解除可能に共に固定されうる。ユーザは、最初に留め具を解除し、次に計量分配装置を開かれた相対配置に移動させなければならないので、上記のことが、さらなるチャイルドプルーフ機構（child proof feature）を提供することができる。
【００１９】
前記またはそれぞれの解除可能な留め具は、それぞれの留め具と対応づけられたボタンを使用して解除することができる。単一のボタンが、単一の留め具を解除することができ、または単一のボタンが、２つ以上、またはすべての留め具を解除することができる。ボタンは、単に、ユーザによって力が加えられると変形可能なボタン領域を含んでよい。解除可能な留め具は、一方の部材上にへこみを、他方の部材上に対応する突起を備えてよく、それらは、閉じられた位置において突起がへこみの中に付勢され、かつ、突起をへこみから移動させ、大した妨げなく部材間の移動を可能にするために閾値力（threshold force）が加えられなければならないように配置される。
【００２０】
薬剤キャリヤは、ブリスタ包装が、それが空になると取り換え可能であり、計量分配装置が再利用できるように、保持部に解除可能に固定されてよく、または、ほぼ永久に保持部に固定されてよい。
【００２１】
解除可能な固定は、任意の適切な方法によるものでよく、例えばブリスタ包装は、保持部内に配置された案内軌条の中で滑動されてよく、ブリスタ包装は、解除可能な接着剤、留め具または他の保持手段を使用して適所に保持されてよい。
【００２２】
ブリスタ包装が保持部にほぼ永久に固定されるならば、接着剤が使用されてよく、キャリヤは、計量分配装置に溶着されるかさもなければ接着されてよい。ブリスタ包装は、適所に成型されてよく、または保持部と一体に成形されてよい。
【００２３】
第１および第２の部材は、部材として説明されているが、それらは、共に結合された複数の部品から、または例えば単一の成形による単一の部品から作製されてよいことを理解されたい。
【００２４】
回収管路は、薬剤が、計量分配開口を通って取り出される前に、一時的に蓄えられうる回収室を含んでよい。この回収室は、例えば計量分配装置が開かれた相対配置にあるときに計量分配開口がアクセス不能である場合に使用されてよい。
【００２５】
本発明によって想定される計量分配装置の多くの配置が存在する。閉じられた相対配置では、ユーザは、ブリスタにアクセスし、薬剤を取り出し、薬剤を計量分配することができ、またはこれらの動作のうちの１つまたは複数が妨げられてよい。開かれた相対配置では、ユーザは、ブリスタにアクセスし、薬剤を取り出し、薬剤を計量分配することができ、またはこれらの動作の１つまたは複数が妨げられてよい。それゆえ、想定されうる計量分配動作の多くの組合せが存在し、それらのうちのいくつかは、付加的なチャイルドレジスタンス機構を提供することができる。
【００２６】
また、本発明は、計量分配装置と、少なくとも１つの薬剤キャリヤとを備える薬剤キットを提供し、薬剤キャリヤは、少なくとも１つの薬剤と、上で説明されたような計量分配装置とを含む。
【００２７】
本発明は、計量分配装置の保持部に取り付けられた薬剤キャリヤから薬剤を計量分配する方法であって、計量分配装置が、本体を含む第１の部材と、計量分配開口を備える少なくとも１つの第２の部材とを備え、本体が薬剤キャリヤを保持するための保持部を含み、保持部が、そこに保持された薬剤キャリヤから取り出された薬剤を受けるように配置された少なくとも１つの入口開口を含み、計量分配装置が、少なくとも１つの入口開口と少なくとも１つの計量分配開口とを接続する回収管路を含み、
ａ．薬剤キャリヤの少なくとも一部がユーザにアクセス可能であるように、計量分配装置を開かれた相対配置に配置するステップと、
ｂ．薬剤キャリヤから薬剤を取り出し、薬剤が前記保持部内の入口開口を通過するように、薬剤キャリヤの一部に力を加えるステップと、
ｃ．入口開口を通過した薬剤を捕らえて保有するために、回収管路を使用するステップと、
ｄ．回収管路が遮断されないように、計量分配装置を閉じられた相対配置に配置するステップと、
ｅ．回収管路からの薬剤が、計量分配開口から計量分配されるように、計量分配装置を操作するステップとを含む、方法をさらに提供する。
【００２８】
計量分配装置を配置する１つまたは複数のステップは、計量分配装置の構造による、閉じられた相対配置と開かれた相対配置との間で、計量分配装置を移動させるステップを含んでよい。計量分配装置を配置する１つまたは複数のステップは、ユーザが、要部をより容易に目視しアクセスできるように、計量分配装置の向き（orientation）を変えるステップを含んでよい。計量分配装置を配置する１つまたは複数のステップは、単に、計量分配装置がすでに正しく構成され方向を合わされていることを確認するステップを含んでよい。
【００２９】
本明細書を通して、および以下の特許請求の範囲の中で、文脈が他を必要としない場合は、単語「含む（comprise）」またはその変形、「含む（comprises）」および「含む（comprising）」などは、表明された１完全体（integer）もしくは１ステップ、または複数の完全体またはステップの群の包含を含意することを理解されたい。
【００３０】
本発明は、以下の図面を参照し、単なる例としてより詳細に説明される。
【図面の簡単な説明】
【００３１】
【図１】閉じられた相対配置における計量分配装置の一実施形態を示す図である。
【図２】部分的に開かれた相対配置における図１の計量分配装置を示す図である。
【図３】閉じられた相対配置における図１の計量分配装置を通る断面図である。
【図４】部分的に開かれた相対配置における図１の計量分配装置を通る断面図である。
【図５】閉じられた相対配置における計量分配装置の異なる一実施形態を示す図である。
【図６】部分的に開かれた相対配置における図５の計量分配装置を示す図である。
【図７】閉じられた相対配置における図５の計量分配装置を通る断面図である。
【図８】部分的に開かれた相対配置における図６の計量分配装置を通る断面図である。
【図９】閉じられた相対配置における計量分配装置の他の実施形態を通る断面図である。
【図１０】開かれた相対配置における図９の計量分配装置を通る断面図である。
【図１１】ブリスタ包装を通る断面図である。
【発明を実施するための形態】
【００３２】
図１は、閉じられた相対配置における計量分配装置１の一実施形態を示し、図２は、部分的に開かれた相対配置における図１の計量分配装置を示す。計量分配装置１は、それに取り付けられた薬剤キャリヤ２を有し、この場合は、薬剤キャリヤ２は、図１１に示すようにブリスタ包装４である。
【００３３】
ブリスタ包装４は、薬剤８が置かれた複数のブリスタ６を含むように形成された形成層を備える。ブリスタ６は、形成層の一方の面から隆起し、他方の面上にくぼみを形成する。くぼみは、破ることができる密封層１０で密封される。薬剤８をブリスタ包装から取り出すために、ユーザは、薬剤８が密封層１０を破って押し出されるようにブリスタ６を変形させる。
【００３４】
計量分配装置１は、ブリスタ包装４が固定された一方の面上に保持部１４を含む、本体１２を備える。この場合、本体１２は、ブリスタ包装４が固定された他方の面上に、別の保持部１４を備える。
【００３５】
本体１２は、回収管路１８（図３および図４を参照して詳細に説明される）の一部を備える。本体１２は、計量分配装置１の第１の部材２０を備える。
【００３６】
計量分配装置１は、第１の部材２０の上に滑動可能に取り付けられ、計量分配開口１６を含む第２の部材２２をさらに含む。この実施形態では、第２の部材２２は、（図１に示すように）閉じられた相対配置において、本体の保持部１４に適合する蓋を形成し、本体へのアクセスを防止する。第２の部材２２は、閉じられた相対配置と開かれた相対配置との間を移動することができる。図２は、第２の部材２２が閉じられた相対配置から滑動され、少なくともいくつかのブリスタ６へのアクセスが可能な、部分的に開かれた相対配置における計量分配装置１を示す。
【００３７】
計量分配装置は、計量分配装置１の両側に、閉じられた相対配置において計量分配装置１を解除可能に留める留め具２４を含む。留め具２４は、第１の部材２０および第２の部材２２の上に、共働部品（cooperating parts）２６、２８を備える。留め具２４は、この場合は第２の部材２２に取り付けられているが、第１の部材２０に取り付けられてよいボタン３０によって解除される。ボタン３０は、留め具２４の共働部品２６、２８のうちの一方を形成する。
【００３８】
図３および図４は、図１および図２に示す相対配置における計量分配装置を通る断面図を示す。保持部１４は、入口開口３２を含む。入口開口３２は、各ブリスタ６と対応づけられる。入口開口３２は、ブリスタ６から取り出された薬剤８が、入口開口を通って回収管路１８の中に進むことができるように配置される。回収管路１８は、薬剤８が重力で計量分配開口１６に落下し、計量分配開口１６から薬剤８が計量分配されうるように計量分配装置１が配置されるまで、薬剤８を回収して蓄える。図から理解されうるように、回収管路内の薬剤は、計量分配装置が図３に示すように閉じられた相対配置に配置されるときは、計量分配開口１６を通ってのみ進むことができる。
【００３９】
使用に当たって、ユーザは、ボタン３０を押して留め具２４を解除することによって、計量分配装置１を、閉じられた相対配置から開かれた相対配置、または少なくとも部分的に開かれた相対配置に移動させるであろう。次に、ユーザは、薬剤８が、破ることができる密封層１０を破って押し出されるように、ブリスタ６を変形させるように力を加える。ブリスタ包装４は、ユーザがブリスタ６に力を加えるのを容易にするために、保持部１４で支持される。
【００４０】
薬剤８がブリスタ６から取り出されるとき、薬剤８は、入口開口３２を通って回収管路１８内に進む。ユーザは、２つ以上の薬剤８を回収管路１８内に取り出すことができる。必要な数の薬剤８が、回収管路１８内に取り出されてしまうと、ユーザは、計量分配装置１を閉じられた相対配置に移動させ、回収管路１８内の薬剤８が計量分配開口１６に落下するように計量分配装置１を傾ける。
【００４１】
この実施形態では、計量分配開口１６へのアクセスが、開かれた相対配置において第１の部材２０と第２の部材２２との相互作用によって制限されるので、薬剤８の計量分配を完了するために、薬剤８がブリスタ包装４から取り出されてしまった後、計量分配装置１は、閉じられた相対配置に戻されなければならない。
【００４２】
図５および図６は、それぞれ、閉じられた相対配置および部分的に開かれた相対配置における計量分配装置１０１の、異なる実施形態を示す。多くの機構が、計量分配装置１と同様に機能し、同じ参照番号を与えられる。機構は異なるが同様に機能する場合は、機構は、１００を足された同様の参照番号を与えられる。
【００４３】
第１の部材１２０は、ブリスタ包装４が一方の側だけに固定された保持部１１４を有する本体１１２を備える。計量分配装置１０１は、２つの第２の部材１２２を含む。第２の部材１２２それぞれは、閉じられた位置において、２つの第２の部材１２２が協働して第１の部材１２０をほぼ取り囲み、それによりブリスタ包装４へのアクセスを防止するように、第１の部材１２０の対向する端部と滑動可能に結合される。
【００４４】
計量分配装置１０１は、図１に示す計量分配装置１の実施形態を参照して説明されたボタンと同様のボタン３０を含む。各ボタン３０は、閉じられた相対配置において計量分配装置１０１を解除可能に留める留め具２４と対応づけられる。
【００４５】
図７および図８は、図５および図６に示す相対配置における計量分配装置を通る断面図を示す。図７に示すように、閉じられた相対配置において、第２の部材１２２は第１の部材をほぼ包含し、ブリスタ包装４へのアクセスを防止することが、明確に理解されうる。計量分配装置１０１が、図８に示すように、開かれるかまたは少なくとも部分的に開かれる相対配置に移動され終わると、ブリスタ６が、ユーザに対してアクセス可能になる。したがって、ユーザは、ブリスタに力を加えてブリスタ内の薬剤８を取り出すことができる。
【００４６】
ブリスタ包装４から取り出された薬剤８は、対応づけられた入口開口３２を貫通し、回収管路１１８に入る。しかし、薬剤は、第１の部材１２０の端壁４０によって、第２の部材の中の計量分配開口１６に到達できない。
【００４７】
この実施形態の回収管路１１８は、第１の部材１２０の対向端部において端室（end chamber）４２を含む。回収室４２は、保持部１１２と端壁４０との間に画定される。端室４２は、閉じられた相対配置においてのみ計量分配開口１６と整列する室の出口４４を含む。また、本体１２２は、薬剤８が入口開口３２から回収室４２まで進むことを可能にする開口４３を含む。
【００４８】
したがって、使用に当たって、ユーザは、室の出口４４と計量分配開口１６とが整列され、薬剤が計量分配装置１０１から計量分配されうるように、計量分配装置１０１を開き、薬剤８をブリスタ包装４から回収管路内に取り出し、計量分配装置１０１かまたは計量分配装置１０１の少なくとも一方の側を閉じる必要がある。
【００４９】
希望するならば、第１の部材１２０の端壁４０の一方または両方がそれぞれ、１つまたは複数の開口を含むことができ、その開口を通して薬剤８が進むことができ、それにより計量分配装置１０１が、開かれた相対配置において計量分配することができることを理解されたい。
【００５０】
図９および図１０は、それぞれ、閉じられた相対配置および開かれた相対配置における計量分配装置２０１の他の実施形態を通る断面を示す。多くの機構が、計量分配装置１と同様に機能し、同じ参照番号を与えられる。機構は異なるが同様に機能する場合は、機構は、２００を足された同様の参照番号を与えられる。
【００５１】
この実施形態では、第２の部材２２２が、第１の部材２２０内に滑動可能に取り付けられるように配置される。第１の部材２２０は、ブリスタ包装４が取り付けられた保持部２１４を含む本体１２を備える。保持部２１４は、ブリスタ包装４のブリスタ６に対応する一連の入口開口３２を備える。
【００５２】
第２の部材２２２は、第１の部材２２０内に取り付けられ、図１０に示すような開かれた相対配置において入口開口３２と整列され、ブリスタから取り出された薬剤が回収管路２１８内に、それゆえ開かれた相対配置においてのみアクセス可能な計量分配開口１６に進むことを可能にする、一連の第２の開口５０を備える。
【００５３】
図９に示すような閉じられた相対配置では、第２の開口５０は、一連の入口開口３２と整列されない。それゆえ、第２の部材２２２は、入口開口３２をほぼ遮断し、薬剤８が回収管路２１８内に取り出されることを防止する。
【００５４】
この実施形態では、計量分配装置２０１は、閉じられた相対配置においてブリスタ６が変形された場合に、ブリスタ包装４の破ることができる層１０が破れる前に、その層１０が第２の部材２２２に接触するように配置される。この配置は、薬剤８が適切に取り出されるまでブリスタ６の周囲の密封を維持する。
【００５５】
図１１は、ブリスタ包装４の詳細な断面を示す。ブリスタ６、薬剤８および破ることができる密封層１０を、容易に理解することができる。
【００５６】
本発明は、単なる例として上で説明されたこと、および詳細な改変が、本特許請求の範囲から逸脱することなく作成されうることを理解されたい。
【符号の説明】
【００５７】
１、１０１、２０１  計量分配装置
２  薬剤キャリヤ
４  ブリスタ包装
６  ブリスタ
８  薬剤
１０  密封層
１２  本体
１４、１１４、２１４  保持部
１６  計量分配開口
１８、１１８、２１８  回収管路
２０、１２０、２２０  第１の部材
２２、１２２、２２２  第２の部材
２４  留め具
２６、２８  共働部品
３０  ボタン
３２  入口開口
４０  端壁
４２  回収室
４３  開口
４４  室の出口
５０  第２の開口
【図１】
2012502860.tif 000003
【図２】
2012502860.tif 000004
【図３】
2012502860.tif 000005
【図４】
2012502860.tif 000006
【図５】
2012502860.tif 000007
【図６】
2012502860.tif 000008
【図７】
2012502860.tif 000009
【図８】
2012502860.tif 000010
【図９】
2012502860.tif 000011
【図１０】
2012502860.tif 000012
【図１１】
2012502860.tif 000013
【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
薬剤キャリヤと共に使用するための計量分配装置であって、前記薬剤キャリヤが、そこから取り出されうる少なくとも１つの薬剤製品を含み、前記計量分配装置が、本体を含む第１の部材と、計量分配開口を備える少なくとも１つの第２の部材とを備え、前記本体が薬剤キャリヤを保持するための保持部を含み、前記保持部が、その上に保持された薬剤キャリヤから取り出された薬剤を受けるように配置された少なくとも１つの入口開口を含み、前記計量分配装置が、前記少なくとも１つの入口開口と前記少なくとも１つの計量分配開口とを接続する回収管路を含み、前記計量分配装置が、その上の薬剤キャリヤから計量分配された薬剤が、前記入口開口を通り、薬剤がその管路から前記計量分配開口を通って計量分配されうる前記回収管路内に進むように構成され、前記第１の部材および前記少なくとも１つの第２の部材が、互いに滑動可能に結合され、前記薬剤キャリヤおよび前記計量分配開口のうちの少なくとも一方の少なくとも一部へのアクセスがほぼ妨げられうるか、もしくは前記薬剤キャリヤからの薬剤の取り出しがほぼ妨げられうる閉じられた相対配置と、前記薬剤キャリヤおよび前記計量分配開口のうちの少なくとも一方のへのアクセスもしくは前記キャリヤからの薬剤の取り出しが実質的にあまり妨げられない、計量分配するすなわち開かれた相対配置との間を移動可能である、計量分配装置。
【請求項２】
前記保持部が複数の入口開口を含む、請求項１に記載の計量分配装置。
【請求項３】
前記保持部内の少なくとも１つの入口開口が、前記閉じられた相対配置のとき、前記少なくとも１つの第２の部材によってほぼ遮断される、請求項１に記載の計量分配装置。
【請求項４】
前記入口開口と前記計量分配開口との間の前記回収管路を通る通路が、前記閉じられた相対配置のとき、ほぼ遮断される、請求項１に記載の計量分配装置。
【請求項５】
前記第１の部材および前記少なくとも１つの第２の部材が、前記計量分配装置を前記計量分配位置に移動させるために解除されなければならない少なくとも１つの留め具を使用して、前記閉じられた位置に共に解除可能に固定される、請求項１に記載の計量分配装置。
【請求項６】
前記またはそれぞれの留め具が、それぞれの留め具に対応づけられたボタンを使用して解除可能である、請求項４に記載の計量分配装置。
【請求項７】
計量分配装置と少なくとも１つの薬剤キャリヤとを備える薬剤キットであって、前記薬剤キャリヤが、少なくとも１つの薬剤と、請求項１から６までのいずれか１項に記載の前記計量分配装置とを含む、薬剤キット。
【請求項８】
前記少なくとも１つの薬剤キャリヤがブリスタ包装である、請求項７に記載の薬剤キット。
【請求項９】
前記ブリスタ包装が複数のブリスタを備え、各ブリスタが薬剤を含む、請求項８に記載の薬剤キット。
【請求項１０】
計量分配装置の保持部に取り付けられた薬剤キャリヤから薬剤を計量分配する方法であって、前記計量分配装置が、本体を含む第１の部材と、計量分配開口を備える少なくとも１つの第２の部材とを備え、前記本体が薬剤キャリヤを保持するための前記保持部を含み、前記保持部が、そこに保持された薬剤キャリヤから取り出された薬剤を受けるように配置された少なくとも１つの入口開口を含み、前記計量分配装置が、前記少なくとも１つの入口開口と前記少なくとも１つの計量分配開口とを接続する回収管路を含み、
ａ．前記薬剤キャリヤの少なくとも一部がユーザにアクセス可能であるように、前記計量分配装置を開かれた相対配置に配置するステップと、
ｂ．前記薬剤キャリヤから薬剤を取り出し、前記薬剤が前記保持部内の入口開口を通過するように、前記薬剤キャリヤの一部に力を加えるステップと、
ｃ．前記入口開口を通過した前記薬剤を捕らえて保有するために、前記回収管路を使用するステップと、
ｄ．前記回収管路が遮断されないように、前記計量分配装置を前記閉じられた相対配置に配置するステップと、
ｅ．前記回収管路からの前記薬剤が、前記計量分配開口から計量分配されるように、前記計量分配装置を操作するステップとを含む、方法。
【国際調査報告】
2012502860.tif 000014
2012502860.tif 000015
2012502860.tif 000016